(57)【要約】【課題】段ボール原紙１０をジグザグに折曲げて成る緩衝用クッション５２の側面に凹部５３を形成する際に、この凹部５３を形成するために除去される除去片３８を有効利用する。【解決手段】板状部１１〜１８を有する段ボール原紙１０を半切り線２１、２３、２５、２７および切断線２２、２４、２６のところで交互にジグザグに折曲げるとともに、除去片３８を除去してこの緩衝用クッション５２の側面に凹部５３を形成する。そして複数枚の除去片３８を一緒に除去することによって受けパッド５６を形成し、これらの受けパッド５６と緩衝用クッション５２とを用いて物品５５の４辺を保護する。【選択図】  図７
2004250076.tif 000002
【特許請求の範囲】
【請求項１】
段ボールを折曲げて構成される緩衝用クッションを具備し、梱包する物品を緩衝する緩衝装置において、
段ボールの段目の方向と交差する方向に延びる切断線と一方のライナのみが連結される半切り線とを互いにほぼ平行であって前記段目の方向に交互に形成し、
前記切断線を連結部によって部分的に連結し、
前記段ボールを前記切断線と半切り線のところで交互に逆方向に折畳んで重合わせて接合して緩衝用クッションを組立て、
しかも前記切断線と半切り線とによって囲まれる板状部に破断線を介して除去片を形成し、該除去片を前記破断線のところで破断して除去すると、前記緩衝用クッションの側面に開口する凹部が形成され、
しかも前記除去片が前記物品を受ける受けパッドを構成することを特徴とする緩衝装置。
【請求項２】
前記切断線または半切り線を介して連続して連結されている複数の板状部にそれぞれ除去片が形成され、これらの除去片が重合されかつ接合手段によって接合された状態で前記破断線のところで破断されて受けパッドが形成されることを特徴とする請求項１に記載の緩衝装置。
【請求項３】
除去片が形成される複数の板状部の内の厚さ方向の上端または下端の除去片が形成される板状部の前記除去片の端部と対向するように舌片を形成し、該舌片を折曲げて凹部の内側面を覆うことを特徴とする請求項２に記載の緩衝装置。
【請求項４】
梱包する物品の互いに対向する両端を前記緩衝用クッションの凹部内に受入れるとともに、前記物品の他の側面を前記受けパッドで受けることを特徴とする請求項２または請求項３に記載の緩衝装置。
【発明の詳細な説明】
【０００１】
【発明の属する技術分野】
本発明は緩衝装置に係り、とくに段ボールを折曲げて構成される緩衝用クッションを具備し、梱包する物品を緩衝するようにした緩衝装置に関する。
【０００２】
【従来の技術】
各種の物品を物流に供する際に、衝撃によって上記の物品が損傷する可能性がある。そこで従来よりこのような物品は、包装箱内に収納するとともに、物品と包装箱との間に発泡スチロール樹脂の緩衝用クッションを配し、外部からの衝撃を上記包装箱および緩衝用クッションによって吸収し、これによって衝撃から物品を保護するようにしている。
【０００３】
上記のような従来の発泡成形による緩衝用クッションを用いた緩衝装置によると、成形するための金型を必要とする。また使用後において廃棄処分する際に焼却すると、黒煙を発するとともに高温の熱によって炉を損傷する可能性がある。すなわち従来の発泡スチロール樹脂製の緩衝用クッションは、環境問題の原因物質である。
【０００４】
そこで段ボールを折曲げて緩衝用クッションを形成し、このような緩衝用クッションを発泡スチロール樹脂の緩衝用クッションに代替して用いることが提案されている。段ボールはパルプを原料とするものであるために、発泡スチロール樹脂のような廃棄時における問題を解消できる。しかも水に溶かして再生することにより、リサイクル可能であることから、環境問題を解消することが可能になる。
【０００５】
【発明が解決しようとする課題】
段ボールを用いた緩衝用クッションにおいて、その側面に凹部を形成し、この凹部内に物品の一部を受入れるようにした構造によると、物品を緩衝用クッションによって確実に保持することが可能になる。ところが段ボールを折曲げて成る緩衝用クッションの側面に凹部を形成すると、段ボールを上記凹部に対応する位置で除去することになり、これによって段ボールの利用効率が低下するとともに、才落によって生ずる段ボールの除去片を発生する。このような除去片の段ボールはリサイクル可能であるものの、直接的に有効に利用することができなかった。
【０００６】
一方で段ボールを折畳んで成る緩衝用クッション以外に、別の部位に受けパッド等を必要とする場合がある。このような場合には、上記の受けパッドを組立てるためにさらに段ボールを必要とし、これによって緩衝装置を構成する段ボールの使用量が増大する問題があった。
【０００７】
本発明はこのような問題点に鑑みてなされたものであって、とくに凹部を形成して物品を保持するようにした緩衝用クッションを用いた場合において、凹部を形成する際に発生する段ボールの除去片を有効に利用し、これによって段ボールの無駄を無くすとともに、受けパッド等の別の部材を組立てるために余分の段ボールを必要としないようにした緩衝装置を提供することを目的とする。
【０００８】
【課題を解決するための手段】
本願の主要な発明は、
段ボールを折曲げて構成される緩衝用クッションを具備し、梱包する物品を緩衝する緩衝装置において、
段ボールの段目の方向と交差する方向に延びる切断線と一方のライナのみが連結される半切り線とを互いにほぼ平行であって前記段目の方向に交互に形成し、
前記切断線を連結部によって部分的に連結し、
前記段ボールを前記切断線と半切り線のところで交互に逆方向に折畳んで重合わせて接合して緩衝用クッションを組立て、
しかも前記切断線と半切り線とによって囲まれる板状部に破断線を介して除去片を形成し、該除去片を前記破断線のところで破断して除去すると、前記緩衝用クッションの側面に開口する凹部が形成され、
しかも前記除去片が前記物品を受ける受けパッドを構成することを特徴とする緩衝装置に関するものである。
【０００９】
ここで前記切断線または半切り線を介して連続して連結されている複数の板状部にそれぞれ除去片が形成され、これらの除去片が重合されかつ接合手段によって接合された状態で前記破断線のところで破断されて受けパッドが形成されることが好適である。また除去片が形成される複数の板状部の内の厚さ方向の上端または下端の除去片が形成される板状部の前記除去片の端部と対向するように舌片を形成し、該舌片を折曲げて凹部の内側面を覆うことが好適である。また梱包する物品の互いに対向する両端を前記緩衝用クッションの凹部内に受入れるとともに、前記物品の他の側面を前記受けパッドで受けることが好ましい。
【００１０】
【発明の実施の形態】
以下本発明を図示の実施の形態によって説明する。図１は本発明の一実施の形態に係る緩衝装置の緩衝用クッションを組立てるための段ボール原紙１０を示している。この段ボール原紙１０は８枚の板状部１１、１２、１３、１４、１５、１６、１７、１８を備えており、これらの板状部１１〜１８が半切り線２１、切断線２２、半切り線２３、切断線２４、半切り線２５、切断線２６、半切り線２７によって順次連結されている。
【００１１】
板状部１１には半切り線２１に１辺が重なるように矩形の開口３０が形成されている。板状部１２、１３間、１４、１５間、１６、１７間にそれぞれ形成される切断線２２、２４、２６は複数の連結部３１のところで互いに連結されている。連結部３１は図２に示すように互いにほぼ平行な一対の切込み３２を具備し、これらの切込み２２の間が連結部３１になっている。切込み３２の終端は互いに外側に斜めに傾斜され、傾斜部３３を形成している。これによって連結部３１の破断を防止している。また上記切込み３２の根元側においてその両端にはそれぞれ折曲げ線３４が形成されている。
【００１２】
また図１において板状部１２、１３間の切断線２２を横切るように両側の板状部１２、１３にそれぞれ切込み３６が形成され、これらの切込み３６によって横長の開口が形成されている。
【００１３】
板状部１３、１４にはそれぞれ除去片３８が形成されている。これらの除去片３８は破断線３９によって破断可能に板状部１３、１４に連設されている。そして板状部１３側の除去片３８の両端にはそれぞれ切断線４０を介して舌片４１が形成されている。舌片４１はその中間位置と根元部分とにそれぞれ折曲げ線４２、４３が形成されている。また上記破断線３９と連続するように舌片４１の側面側にはスリット４４が形成されている。
【００１４】
板状部１４、１５の間に形成される切断線２４を横切るように板状部１４、１５にはそれぞれ切込み３６が形成され、これらの切込み３６によって横長の開口が形成されている。
【００１５】
板状部１５、１６にはそれぞれ除去片３８が形成され、これらの除去片３８は半切り線２５によって互いに連結されるとともに、破断線３９によって板状部１５、１６と破断可能に連結されている。そして除去片３８の両側には開口４７が形成されている。また上記半切り線２５を横切るように両側の除去片３８にはその中央部に両端が半円形にになっている開口４８が形成されている。
【００１６】
板状部１６、１７間の切断線２６にはこの切断線２６を横切るように切込み３６が形成されており、これらの切込み３６によって横長の開口が形成されている。また板状部１７には半切り線２７に１辺が重なるようにその両側に細長い開口５０が形成されている。また板状部１８の側端には切込み３６が形成されている。
【００１７】
このような段ボール原紙１０は図３に示すように、半切り線２１、２３、２５、２７および切断線２２、２４、２６のところでそれぞれ交互に折曲げられ、これによって板状部１１〜１８が互いに重合う。なおこのときに板状部１１〜１８の所要の部位に澱粉糊等の接着手段を塗布しておくことによって、図４に示すように板状部１１〜１８は互いに重合わされてほぼ直方体状をなす緩衝用クッション５２が組立てられる。
【００１８】
ここでとくに半切り線２１、２３、２５、２７の部分においては、一方のライナと中芯とが切断され、これに対して他方のライナが連結されている。そして連結されている側のライナが内側になるように半切り線２１、２３、２５、２７が折曲げられる。これに対して切断線２２、２４、２６は両側の板状部を互いに分離しているものの、これらの切断線２２、２４、２６を横切るように設けられている連結部３１が両側の板状部を連結する。
【００１９】
図５は段ボール原紙１０を折曲げて直方体状に組立てた緩衝用クッション５２を反対側から見た状態を示している。反対側の側面には矩形の開口３０のエッジ、開口４８によって形成される凹部、および開口４７によって形成される凹部がそれぞれ露出することになる。
【００２０】
ここでとくに緩衝用クッション５２は板状部１２と板状部１３とが互いに糊付けされておらず、両者は分離可能になっている。従って図６に示すように、板状部１２、１３間の切断線２２のところで連結している連結部３１をヒンジとして、板状部１１、１２を一緒に開くことができる。そしてこのような状態において、図７に示すように、板状部１３、１４、１５、１６にそれぞれ形成されている除去片３８を前方に引張ると、これらの除去片３８が破断線３９のところで板状部１３、１４、１５、１６から分離除去される。しかもこれらの除去片３８は段ボール原紙１０を折畳む際に予め糊付けされて接合されているために、４枚の破断片３８を破断する際に受けパッド５６が形成される。この受けパッド５６は上記緩衝用クッション５２とともにこの実施の形態の緩衝装置を構成する。
【００２１】
板状部１１、１２を開いて除去片３８を除去し、これによって受けパッド５６を分離した後に、図８に示すように舌片４１を折曲げる。すなわち板状部１３の除去片３８の両端に対向するように形成されている舌片４１を折曲げ線４３のところで折曲げ、さらに折曲げ線４２のところで折曲げる。これによって凹部５３の端面を上記舌片４１で覆うことが可能になり、これによって除去片３８を破断した破断面が露出することがなくなる。従って破断面によって物品が傷付くことが防止される。しかも舌片４１の先端側であって折曲げ線４２よりも先端側の部分が板状部１７に形成されている開口５０内に受入れられて係止される。従って舌片４１が図８に示すように折曲げられた状態で確実に保持される。
【００２２】
図９はこのようにして除去片３８を除去し、受けパッド５６を分離した後の緩衝用クッション５２を示している。この緩衝用クッション５２の特徴は、その側面に臨むように凹部５３が形成されることである。
【００２３】
このような緩衝用クッション５２および受けパッド５６によって、例えば偏平な直方体状をなす物品５５を図１０および図１１に示すように保持する。この物品５５の互いに対向する端部を上記緩衝用クッション５２の凹部５３によって受入れる。これによって物品５５はその両端で緩衝用クッション５２によって安定に保持される。しかも緩衝用クッション５２によって保持されない物品５５の他の２辺は受けパッド５６によって受けられる。従って物品５５は一対の緩衝用クッション５２と一対の受けパッド５６とによって保持される。しかも物品５５は両端が緩衝用クッション５２の凹部５３によって保持されるために、物品５５の底面に隙間あるいは空間が形成されることになる。
【００２４】
このようにして緩衝用クッション５２および受けパッド５６によって受けられる物品５５は、このような状態でそのまま包装箱に収納される。従って外部からの衝撃を上記緩衝用クッション５２および受けパッド５６によって吸収することができ、物流に供される場合において、衝撃から物品５５を保護することが可能になる。なお包装箱に入れる代りに、４辺を緩衝用クッション５２と受けパッド５６とによって受けた状態で、結束バンド等によって結束した状態で物流に供するようにしてもよい。
【００２５】
このような緩衝装置の特徴は、段ボール原紙１０を折曲げて緩衝用クッション５２を形成する際に、凹部５３を形成するために除去片３８を除去するときにこの除去片３８によって受けパッド５６を形成し、この受けパッド５６を緩衝用クッション５２と共働して機能するように有効に利用するものである。従ってこのことから、段ボール原紙１０の凹部５３を形成するための除去片３８を無駄にすることなく、これを有効に利用することが可能になり、段ボール原紙１０の利用率が向上する。また才落部分が少なくなることから、段ボール原紙１０のゴミが減少する。さらに受けパッド５６が物品５５の緩衝用クッション５２によって緩衝されない部分を保護するために、物品５５の保護が確実になる。また受けパッド５６を組立てるために別の段ボール原紙を必要としない。
【００２６】
以上本願発明を図示の実施の形態によって説明したが、本願発明は上記実施の形態によって限定されることなく、本願に含まれる発明の技術的思想の範囲内において各種の変更が可能である。例えば緩衝用クッション５２や受けパッド５６の寸法あるいは形状については各種の変更が可能であり、これによって各種の物品の緩衝に広範囲に適用可能である。
【００２７】
【発明の効果】
本願の主要な発明は、段ボールを折曲げて構成される緩衝用クッションを具備し、梱包する物品を緩衝する緩衝装置において、段ボールの段目の方向と交差する方向に延びる切断線と一方のライナのみが連結される半切り線とを互いにほぼ平行であって段目の方向に交互に形成し、切断線を連結部によって部分的に連結し、段ボールを切断線と半切り線のところで交互に逆方向に折畳んで重合わせて接合して緩衝用クッションを組立て、しかも切断線と半切り線とによって囲まれる板状部に破断線を介して除去片を形成し、該除去片を破断線のところで破断して除去すると、緩衝用クッションの側面に開口する凹部が形成され、しかも除去片が物品を受ける受けパッドを構成するようにしたものである。
【００２８】
従ってこのような緩衝装置によれば、緩衝用クッションの側面に開口する凹部を形成する際に生ずる除去片を利用して受けパッドを構成することが可能になり、除去片が無駄にならず、段ボールの利用率が改善される。しかも受けパッドを構成するために別の段ボール原紙を必要とせず、これによってより合理的な緩衝装置が提供される。
【図面の簡単な説明】
【図１】緩衝用クッションを組立てるための段ボール原紙の展開平面図である。
【図２】同段ボール原紙の切断線のところを連結する連結部の拡大平面図である。
【図３】段ボール原紙を折曲げる状態を示す外観斜視図である。
【図４】折畳まれて接合された状態の外観斜視図である。
【図５】同反対側から見た斜視図である。
【図６】板状部を開いた状態の斜視図である。
【図７】受けパッドを取外す動作を示す外観斜視図である。
【図８】舌片を折曲げる動作を示す外観斜視図である。
【図９】完成した緩衝用クッションの外観斜視図である。
【図１０】緩衝用クッションと受けパッドによる物品の梱包状態を示す要部平面図である。
【図１１】同要部外観斜視図である。
【符号の説明】
１０  段ボール原紙
１１〜１８  板状部
２１  半切り線
２２  切断線
２３  半切り線
２４  切断線
２５  半切り線
２６  切断線
２７  半切り線
３０  矩形の開口
３１  連結部
３２  切込み
３３  傾斜部
３４  折曲げ線
３６  切込み
３８  除去片
３９  破断線
４０  切断線
４１  舌片
４２、４３  折曲げ線
４４  スリット
４７、４８  開口
５０  開口
５２  緩衝用クッション
５３  凹部
５５  物品
５６  受けパッド
【図１】
2004250076.tif 000003
【図２】
2004250076.tif 000004
【図３】
2004250076.tif 000005
【図４】
2004250076.tif 000006
【図５】
2004250076.tif 000007
【図６】
2004250076.tif 000008
【図７】
2004250076.tif 000009
【図８】
2004250076.tif 000010
【図９】
2004250076.tif 000011
【図１０】
2004250076.tif 000012
【図１１】
2004250076.tif 000013